(57)【要約】【課題】  複数の荷物を送り先の決まっていない状態でまとめる場合や複数の荷物をまとめて取り扱う場合でもその荷物を識別することができる電子情報読取り書込み装置、電子タグを用いた荷物管理システムおよびプログラムを提供することにある。【解決手段】  本荷物管理システムは、電子タグ用リーダー・ライター等の電子情報読取り書込み装置９６０と、電子情報読取り書込み装置９６０により関係付けて出力された複数の電子タグの電子情報を記憶するための記憶装置９８０と、関係付けて記憶装置９８０に記憶された複数の電子タグの電子情報の一つから別の電子情報を検索し得る検索装置としての例えばパーソナルコンピュータ（ＰＣ）等の端末コンピュータ９７０とを備える。【選択図】図１
2011065294.tif 000002
【特許請求の範囲】
【請求項１】
荷姿の発生場所を座標情報として取得する座標情報取得部と、前記荷姿の発生時刻を時刻情報として取得する時刻情報取得部と、第１の電子タグの第１の電子情報を読み取り記憶する電子情報記憶部と、第２の電子タグに書き込む前記座標情報および時刻情報を含む第２の電子情報を生成する電子情報生成部と、前記第１および第２の電子情報を関係付けた電子情報を出力する関係付け情報出力部とを備えた電子情報読取り書込み装置。
【請求項２】
前記荷姿の発生高さを高さ情報として取得する高さ情報取得部を備え、前記第２の電子情報が前記高さ情報を含む請求項１記載の電子情報読取り書込み装置。
【請求項３】
前記座標情報が、グローバルポジショニングシステム（ＧＰＳ）、ディファレンシャルＧＰＳ（ＤＧＰＳ）、またはリアルタイムキネマティックＧＰＳ（ＲＴＫ−ＧＰＳ）に基づく信号から得られた緯度情報および経度情報である請求項１または２記載の電子情報読取り書込み装置。
【請求項４】
前記座標情報が、予め設定された緯度情報および経度情報である請求項１または２記載の電子情報読取り書込み装置。
【請求項５】
前記高さ情報が、高度計から得られたものである請求項２記載の電子情報読取り書込み装置。
【請求項６】
前記高さ情報が、建物の階名称から得られたものである請求項２記載の電子情報読取り書込み装置。
【請求項７】
請求項１〜６のいずれかに記載の電子情報読取り書込み装置と、前記電子情報読取り書込み装置により関係付けて出力された前記第１および第２の電子情報を記憶する記憶装置と、前記記憶装置に関係付けて記憶した前記第１および第２の電子情報の一つから別の電子情報を検索し得る検索装置とを備えた電子タグを用いた荷物管理システム。
【請求項８】
コンピュータに、荷姿の発生場所を座標情報として取得する手順、前記荷姿の発生時刻を時刻情報として取得する手順、第１の電子タグの第１の電子情報を読み取り記憶する手順、第２の電子タグに書き込む前記座標情報および時刻情報を含む第２の電子情報を生成する手順、前記第１および第２の電子情報を関係付けた電子情報を出力する手順、を実行させるためのプログラム。
【請求項９】
前記荷姿の発生高さを高さ情報として取得する手順をさらに備え、前記第２の電子情報が前記高さ情報を含む請求項８記載のプログラム。
【発明の詳細な説明】
【技術分野】
【０００１】
本発明は、電子情報読取り書込み装置、電子タグを用いた荷物管理システムおよびプログラムに関する。
【背景技術】
【０００２】
従来から、荷物の管理は例えば次のようにして行われている。工場で完成した製品は梱包され、商品名、商品コード、部品番号等の品種を区別できる記号を記載したラベルが貼付される。商品の種類によってはラベルにシリアル番号が併記されることもある。小さい商品では、複数の同一商品がまとめて集合箱梱包されることもある。梱包された商品は工場内の荷役や輸送を効率化するため、パレットに積載されることもある。
【０００３】
国際物流の場合は、輸出のため、商品がコンテナに積載される際には、注文書や出荷指示書に基づき、指定された商品名、数量の物品を集める。荷物には発送元、送り先、荷物の識別番号を記載したラベルが貼られる。さらに、納品書とコンテナ番号毎の物品明細書が発行される。目的地でコンテナ毎に内容物と物品明細書の照合を行い、納入された荷物の検品が一般に行われている。国内物流の場合は、輸送のため、トラックに積載される際には、注文書や出荷指示書に基づき、指定された商品名、数量の物品を集め、必要に応じ、別のパレットや混載箱に梱包しなおす。荷物には発送元、送り先、荷物の識別番号を記載した物流ラベルが貼られる。荷物毎にその内容物の物品明細書が発行される。目的地で荷物ラベルの識別番号を確認することで納入された荷物の検品が一括で出来る。これらの作業は出荷指示書と商品名を頼りに人手で行うことが多い。
【０００４】
また、電子タグを使った物流方法も提案されている。次のような社会的要求に対応するためである。すなわち、ユーザーの安全に関し問題を生じた場合のトレーサビリティーの確保、修理の対応に必要な製造情報の管理、あるいは環境への悪影響を防ぐため商品廃棄後の部品や材料を再利用する際の製造履歴管理などに対応するためである。このため、物流過程も含め、商品ライフサイクル、即ち、部品材料の調達、製造、物流、販売、保守・修理、リサイクルの全ての過程で商品のシリアル番号管理が必要となってきている。
【０００５】
予め半導体チップをラベルなどの形状に加工し電子情報を書き込んだものに、電波や誘導電磁界を介しその電子情報を読み取ったり、新たな電子情報を書き込んだりすることで、商品ライフサイクルの問題を解決しようとする動きが世界的な規模で行われている。この技術はＲＦＩＤ（Ｒａｄｉｏ  Ｆｒｅｑｕｅｎｃｙ  Ｉｄｅｎｔｉｆｉｃａｔｉｏｎ）技術と呼ばれ、世界的に普及しつつある。その中でもＵＨＦ帯の周波数（８６０〜９６０ＭＨｚ）を用いたＥＰＣ  Ｇｌｏｂａｌ  Ｃｌａｓｓ１  Ｇｅｎｅｒａｔｉｏｎ２の電子タグが注目されている。
【０００６】
ＥＰＣ  Ｇｌｏｂａｌ  Ｃｌａｓｓ１  Ｇｅｎｅｒａｔｉｏｎ２の電子タグはその用途に応じ、電子タグの中に書き込む電子情報が規定されている（非特許文献１）。ＧＩＤ（Ｇｅｎｅｒａｌ  Ｉｄｅｎｔｉｆｉｅｒ）−９６は、下記のいずれにも属さないコード体系に適用する。ＳＧＴＩＮ（Ｓｅｒｉａｌｉｚｅｄ  Ｇｌｏｂａｌ  Ｔｒａｄｅ  Ｉｔｅｍ  Ｎｕｍｂｅｒ）−９６は、消費者向け商品に適用する。ＳＧＴＩＮ−１９８も同様である。ＳＳＣＣ（Ｓｅｒｉａｌ  Ｓｈｉｐｐｉｎｇ  Ｃｏｎｔａｉｎｅｒ  Ｃｏｄｅ）−９６は、輸送用コンテナや各種の物流用荷姿に適用する、発送から納品までの物流に使用するコードである。ＳＧＬＮ（Ｓｅｒｉａｌｉｚｅｄ  Ｇｌｏｂａｌ  Ｌｏｃａｔｉｏｎ  Ｎｕｍｂｅｒ）−９６は、生産、物流などの拠点に適用する。ＳＧＬＮ−１９５も同様である。ＧＲＡＩ（Ｇｌｏｂａｌ  Ｒｅｔｕｒｎａｂｌｅ  Ａｓｓｅｔ  Ｉｄｅｎｔｉｆｉｅｒ）−９６は、パレット、通い箱、コンテナ、トラック、船舶、航空機などの繰返し使用する物流資産に適用する。ＧＲＡＩ−１７０も同様である。ＧＩＡＩ（Ｇｌｏｂａｌ  Ｉｎｄｉｖｉｄｕａｌ  Ａｓｓｅｔ  Ｉｄｅｎｔｉｆｉｅｒ）−９６は、会社資産に適用する。ＧＩＡＩ−２０２も同様である。ＤｏＤ−９６は、アメリカ合衆国国防総省（Ｕｎｉｔｅｄ  Ｓｔａｔｅｓ  Ｄｅｐａｒｔｍｅｎｔ  Ｏｆ  Ｄｅｆｅｎｓｅ）関連物資に適用する。
【０００７】
工場で完成した製品は梱包され、商品名、商品コード、部品番号等の品種を区別できる記号を記載したラベルが貼付されるのが一般的である。それとあわせ、商品１個ずつの識別をするための電子タグが商品本体か、本体１個を梱包した箱の表面に貼付される。電子タグにはＳＧＴＩＮ−９６またはＳＧＴＩＮ−１９８で規定された書式で会社コード（Ｃｏｍｐａｎｙ  ｐｒｅｆｉｘ）＋商品コード（Ｉｔｅｍ  ｒｅｆｅｒｅｎｃｅ）＋シリアル番号（Ｓｅｒｉａｌ  Ｎｕｍｂｅｒ）が書き込まれる。
【０００８】
複数の商品が集合箱に入れられたり、パレットに積載されたりした場合、他の商品や導電性の包装材料、水分等の影響で、パレットの中心近くにある商品の電子タグを読み取れない事がある。この不具合はリーダー・ライター（電子情報読取り書込み装置、Ｉｎｔｅｒｒｏｇａｔｏｒ）が電波を介して電子タグを認識し電子タグの内部の情報を読み出す手続きが、その間にある物質に電波が吸収されたり遮蔽されたりすることで妨げられることにより起こる現象である。このため、荷姿毎に新たな電子タグを貼付し、それと荷姿に含まれる商品の識別番号（ＳＧＴＩＮ−９６またはＳＧＴＩＮ−１９８）を紐付け（関係付け）、データベース等に蓄積し照合できるようにしておく。情報を関係付けることを「Ａｇｇｒｅｇａｔｉｏｎ」と呼ぶ場合がある。ＥＰＣｇｌｏｂａｌではそのデータベースのことをＥＰＣ−ＩＳ（ＥＰＣ  Ｉｎｆｏｒｍａｔｉｏｎ  Ｓｅｒｖｉｃｅｓ）と呼ぶ。複数の商品が入った集合箱をパレットに積載する場合にも同様に、パレット用に新たな電子タグを発行し、それとパレット上の集合箱の識別番号を紐付け（関係付け）データベース等に蓄積し照合できるようにしておく。さらに、任意の荷姿がまとめられコンテナなどに積載され、大きな荷姿になる場合にも同様に関係付けを行う。
【先行技術文献】
【特許文献】
【０００９】
【非特許文献１】ＥＰＣｇｌｏｂａｌ  Ｔａｇ  Ｄａｔａ  Ｓｔａｎｄａｒｄｓ  Ｖｅｒｓｉｏｎ１．３  Ｍａｒｃｈ  ８，  ２００６
【発明の概要】
【発明が解決しようとする課題】
【００１０】
本発明の目的は、複数の荷物を送り先の決まっていない状態でまとめる場合や複数の荷物をまとめて取り扱う場合でもその荷物を識別することができる電子情報読取り書込み装置、電子タグを用いた荷物管理システムおよびプログラムを提供することにある。
【課題を解決するための手段】
【００１１】
本発明は、上記目的を達成するために、以下の電子情報読取り書込み装置、電子タグを用いた荷物管理システムおよびプログラムを提供する。
（１）荷姿の発生場所を座標情報として取得する座標情報取得部と、前記荷姿の発生時刻を時刻情報として取得する時刻情報取得部と、第１の電子タグの第１の電子情報を読み取り記憶する電子情報記憶部と、第２の電子タグに書き込む前記座標情報および時刻情報を含む第２の電子情報を生成する電子情報生成部と、前記第１および第２の電子情報を関係付けた電子情報を出力する関係付け情報出力部とを備えた電子情報読取り書込み装置。
（２）前記荷姿の発生高さを高さ情報として取得する高さ情報取得部を備え、前記第２の電子情報が前記高さ情報を含む上記（１）記載の電子情報読取り書込み装置。
（３）前記座標情報が、グローバルポジショニングシステム（ＧＰＳ）、ディファレンシャルＧＰＳ（ＤＧＰＳ）、またはリアルタイムキネマティックＧＰＳ（ＲＴＫ−ＧＰＳ）に基づく信号から得られた緯度情報および経度情報である上記（１）または（２）記載の電子情報読取り書込み装置。
（４）前記座標情報が、予め設定された緯度情報および経度情報である上記（１）または（２）記載の電子情報読取り書込み装置。
（５）前記高さ情報が、高度計から得られたものである上記（２）記載の電子情報読取り書込み装置。
（６）前記高さ情報が、建物の階名称から得られたものである上記（２）記載の電子情報読取り書込み装置。
（７）上記（１）〜（６）のいずれかに記載の電子情報読取り書込み装置と、前記電子情報読取り書込み装置により関係付けて出力された前記第１および第２の電子情報を記憶する記憶装置と、前記記憶装置に関係付けて記憶した前記第１および第２の電子情報の一つから別の電子情報を検索し得る検索装置とを備えた電子タグを用いた荷物管理システム。
（８）コンピュータに、荷姿の発生場所を座標情報として取得する手順、前記荷姿の発生時刻を時刻情報として取得する手順、第１の電子タグの第１の電子情報を読み取り記憶する手順、第２の電子タグに書き込む前記座標情報および時刻情報を含む第２の電子情報を生成する手順、前記第１および第２の電子情報を関係付けた電子情報を出力する手順、を実行させるためのプログラム。
（９）前記荷姿の発生高さを高さ情報として取得する手順をさらに備え、前記第２の電子情報が前記高さ情報を含む上記（８）記載のプログラム。
【発明の効果】
【００１２】
請求項１に記載の電子情報読取り書込み装置によれば、複数の荷物を送り先の決まっていない状態でまとめる場合や複数の荷物をまとめて取り扱う場合でもその荷物を識別することができる。
請求項２に記載の電子情報読取り書込み装置によれば、荷姿の発生高さ情報を取得しない場合に比べ荷物の識別をより正確にすることができる。
請求項３に記載の電子情報読取り書込み装置によれば、携帯可能な装置として提供することができる。
請求項４に記載の電子情報読取り書込み装置によれば、緯度情報および経度情報を都度取得する場合に比べ簡易な装置を提供することができる。
請求項５に記載の電子情報読取り書込み装置によれば、荷姿の発生高さ情報を取得しない場合に比べ荷物の識別をより正確にできる装置を提供することができる。
請求項６に記載の電子情報読取り書込み装置によれば、高度計により荷姿の発生高さ情報を得る場合に比べ簡易な装置を提供することができる。
請求項７に記載の電子タグを用いた荷物管理システムによれば、複数の荷物を送り先の決まっていない状態でまとめる場合や複数の荷物をまとめて取り扱う場合でもその荷物を識別することができる。
請求項８に記載のプログラムによれば、複数の荷物を送り先の決まっていない状態でまとめる場合や複数の荷物をまとめて取り扱う場合でもその荷物を識別することができる。
請求項９に記載のプログラムによれば、荷姿の発生高さ情報を取得しない場合に比べ荷物の識別をより正確にすることができる。
【図面の簡単な説明】
【００１３】
【図１】本発明に係る電子タグを用いた荷物管理システムの一実施例を示す図である。
【図２】本発明に係る電子情報読取り書込み装置の一実施例を示す図である。
【図３】荷姿の発生場所を地球上の緯度情報および経度情報として取得する場合の一例を示す図である。
【図４】本発明に係る電子情報読取り書込み装置を用いた荷物管理システムの他の例を示す図である。
【図５】本発明に係る電子情報読取り書込み装置を用いた荷物管理システムの他の例を示す図である。
【図６】本発明に係る電子情報読取り書込み装置を用いた荷物管理システムの他の例を示す図である。
【発明を実施するための形態】
【００１４】
図１は、本発明に係る電子タグを用いた荷物管理システムの一実施例を示す図である。本実施例では、図示のように、電子タグ用リーダー・ライター等の電子情報読取り書込み装置９６０と、電子情報読取り書込み装置９６０により関係付けて出力された複数の電子タグの電子情報をデータベースに記憶するための記憶装置９８０と、関係付けて記憶装置９８０に記憶された複数の電子タグの電子情報の一つから別の電子情報を検索し得る検索装置としての例えばパーソナルコンピュータ（ＰＣ）等の端末コンピュータ９７０とを備える。記憶装置９８０には別の一つまたは複数の端末コンピュータ９９０からもアクセス可能であり、端末コンピュータ９９０でも記憶装置９８０に記憶された複数の電子タグの電子情報の一つから別の電子情報を検索することができる。
【００１５】
製品荷姿９１０は、製品本体９０１を梱包した梱包箱９０２とそれに付けられた製品荷姿用電子タグ９０３とを含む。荷姿９１０を作る場所は、ネットワーク環境に接続されていない場合が多く、また作業中場所の移動が起こり得る。そのため、製品荷姿用電子タグ９０３に対する電子情報の読取りと書込みは、例えば携帯可能なＧＰＳ受信機付き電子情報読取り書込み装置９６０で行うことが好ましいが、これに限定されない。電子情報読取り書込み装置９６０の構成例について以下説明する。
【００１６】
図２は、本発明に係る電子情報読取り書込み装置の一実施例を示す図である。本実施例では、図示のように、荷姿の発生場所を座標情報として取得する座標情報取得部２１と、荷姿の発生時刻を時刻情報として取得する時刻情報取得部２２と、それらの情報から第２の電子タグに書き込む電子情報を生成する電子情報生成部２５と、第１の電子タグの第１の電子情報を読み取るためのアンテナ２７と受信した電波から電子情報を解読するための復調器２４１と読取った電子情報を一時的に記憶する電子情報記憶部２４と、第２の電子タグに座標情報および時刻情報を含む第２の電子情報を電波で送信するための変調器２５１とアンテナ２７と、第１および第２の電子情報を関係付ける関係付け情報生成部２６１と関係付けた電子情報を出力する関係付け情報出力部２６とを備える。さらに、荷姿の発生高さを高さ情報として取得する高さ情報取得部２３を備えることができる。この場合、第２の電子情報は高さ情報を含む。
【００１７】
ここで、座標情報は、例えばグローバルポジショニングシステム（ＧＰＳ）、ディファレンシャルＧＰＳ（ＤＧＰＳ）、またはリアルタイムキネマティックＧＰＳ（ＲＴＫ−ＧＰＳ）に基づく信号から得られた緯度情報および経度情報とすることができるが、これに限定されず、例えば予め設定された緯度情報および経度情報とすることもできる。例えば座標情報の取得にＧＰＳを利用する場合は、座標情報取得部２１はＧＰＳ受信器を備える。時刻情報は、世界標準時で較正された時計を利用することができるが、これに限定されず、例えば地域標準時で較正された時計を利用することができ、その場合は地域を識別する記号を含ませる。高さ情報は、例えば高度計から得られたものとすることができるが、これに限定されず、例えば建物の階名称から得られたものとすることもできる。
【００１８】
図１に戻って説明する。製品本体９０１は１個ずつ梱包されＳＧＴＩＮタイプの電子情報が格納された製品荷姿用電子タグ９０３が梱包箱９０２（又は製品本体９０１）に貼付される。この電子タグ９０３にはタグの種別、商品の製造会社、商品種別、シリアル番号に対応した電子情報が格納されている。製品本体９０１が１個ずつ梱包された複数の製品荷姿９１０は、集合箱９２１に収納され集合梱包９３０となる。その際、収納される全ての製品荷姿９１０の電子タグ９０３を電子情報読取り書込み装置９６０で読み取る。次に集合箱９２１を特定するための集合箱用電子タグ９２２を集合箱９２１に貼り付ける。
【００１９】
このとき電子情報読取り書込み装置９６０に装備されたＧＰＳ受信器で、その場所の緯度と経度を測定し、座標となる数値を生成させる。必要に応じて高度計で高さを測定し高さを規定する数値を生成する。さらに、作業を行なった時刻を例えば世界標準時に較正された時計を参照し特定する。これらの値を電子タグ情報に変換し、集合箱用電子タグ９２２に書き込む。一方、予め読み取っておいた集合梱包９３０内の全ての製品荷姿の電子タグ９０３のＳＧＴＩＮタイプの電子情報と、集合箱用電子タグ９２２のＸＩＤタイプの電子情報を紐つけて（関係付けて）、例えば端末コンピュータ９７０を介して、記憶装置９８０のデータベースに格納する。すなわち、集合梱包９３０内の製品荷姿の電子タグ９０３全ての電子情報ＳＧＴＩＮ−９１，ＳＧＴＩＮ−９２，ＳＧＴＩＮ−９３・・・ＳＧＴＩＮ−ｎが、集合箱用電子タグ９２２の電子情報ＸＩＤ−９１と関係付けられる。ＸＩＤタイプの電子情報の構成については後述する。
【００２０】
出荷時には、複数の集合梱包９３０をパレット９４０に積載してパレット積載集合体９５０とする。その際、積載される全ての集合梱包９３０の集合箱用電子タグ９２２を電子情報読取り書込み装置９６０で読み取る。次にパレット積載集合体９５０を特定するためのＳＳＣＣタイプの物流用電子タグ９５１をパレット積載集合体９５０に貼り付ける。そして物流用電子タグ９５１を電子情報読取り書込み装置９６０で読み取る。パレット積載集合体９５０内の全ての集合箱用電子タグ９２２のＸＩＤタイプの電子情報と、パレット積載集合体９５０の物流用電子タグ９５１のＳＳＣＣタイプの電子情報を紐つけて（関係付けて）、例えば端末コンピュータ９７０を介して、記憶装置９８０のデータベースに格納する。すなわち、パレット積載集合体９５０に積載された全ての集合梱包９３０の集合箱用電子タグ９２２の電子情報ＸＩＤ−９１，ＸＩＤ−９２，ＸＩＤ−９３・・・ＸＩＤ−ｍが、物流用電子タグ９５１の電子情報ＳＳＣＣ−９１と関係付けられる。これにより、端末コンピュータ９７０により、ＳＧＴＩＮタイプ、ＸＩＤタイプおよびＳＳＣＣタイプの電子情報が相互に検索可能となる。
【００２１】
集合箱用電子タグ９２２の電子情報（ＸＩＤ）は、例えば以下のように構成される。高さ情報のない場合は、ヘッダー８ビット＋フィルタ値３ビット＋パーティション３ビット＋経度情報２６ビット＋緯度情報２５ビット＋時刻情報３１＝９６ビットとされる。高さ情報のある場合は、ヘッダー８ビット＋フィルタ値３ビット＋パーティション３ビット＋経度情報２６ビット＋緯度情報２５ビット＋高さ情報１４ビット＋時刻情報３１＝１１０ビットとされる。以下、荷姿の発生した場所を特定する方法について説明する。
【００２２】
図３は、荷姿の発生場所を地球上の緯度情報および経度情報として取得する場合の一例を示す図である。図において、８１０は緯度０度・経度０度の地点、８２０は赤道、８３０は北極点、８４０は南極点、８５０は任意の経度の緯線を示す。現在使用可能なＥＰＣ  Ｇｌｏｂａｌ  Ｃｌａｓｓ１  Ｇｅｎｅｒａｔｉｏｎ２の電子タグは９６ビットの電子情報が格納可能である。電子タグの用途によってはそれを超えるビット数を使うこともできる。電子タグの種類によっては付加的にユーザーメモリ領域に電子情報を格納する事が出来るが、その大きさは一定でない。そのため９６ビットの中に荷姿の発生した場所と時刻の情報を１０進数の組み合わせとして生成し、それを２進数に変換した電子情報を電子タグのＵＩＩメモリ領域に格納し、メモリ領域の有効活用を図る。
【００２３】
荷姿の発生した場所の細かさを実用上問題のない細かさにするとともに、電子情報を９６ビットに収めるために、赤道上で２ｍ×２ｍの精度で荷姿の発生場所を区切れるようにする。そのために必要な緯度、経度をあらわす１０進数を以下の手順で決める。
地球の赤道半径≒６３７８．１３７ｋｍ
地球の赤道長＝２×π×６３７８．１３７×１０００≒４００７５０００ｍ
これを２ｍで割ると区別に必要な角度の細かさは
（３６０°÷４００７５０００）×２≒０．００００２°
となる。
【００２４】
従って、経度を０〜３６００００００の整数で表せばよい。同様にして、緯度を０〜１８００００００の整数で表せばよい。時刻（月日時分秒）は０〜１２３１２４００００の整数で表す。これらを２進数で表わすと、それぞれに必要なビット数は
経度：２６ビット
緯度：２５ビット
時刻：３１ビット
となる。
【００２５】
これに電子タグの種類やデータ格納方法などを規定する以下のパラメータを加える。
ヘッダー：８ビット
フィルタ値：３ビット
パーティション：３ビット
これらをたすと、８＋３＋３＋２６＋２５＋３１＝９６ビットとなり、現在使用可能なＵＨＦ帯電子タグに電子情報の格納が可能となる。
【００２６】
経度および緯度を特定する手段としてはたとえばＧＰＳを用いる。これは地球上空を周回する複数個の人工衛星からの信号を受信し位置を割り出すシステムであり、現時点では携帯可能な大きさにまで小型化できている。一方、民生用のＧＰＳは１０ｍ程度の検出精度であるため、検出精度が数ｍのＤＧＰＳや検出精度が数ｃｍのＲＴＫ−ＧＰＳなどで精度の補完を行ったシステムの利用が望ましい。特定の場所の荷姿発生であれば、座標情報として荷姿の発生する敷地の範囲の任意の座標を固定値として予め取得して作業を行うことも可能である。
【００２７】
時刻を特定する方法はたとえば次のとおりである。世界共通の技術として活用することを前提にしているため、世界標準時に較正された時計で荷姿の発生した時刻を特定する。桁数を圧縮するため時刻は月日時分秒に２桁ずつの１０進数ｍｍｄｄｈｈＭＭｓｓを付与しあらわすものとする。たとえば任意の日時時刻を１月１日から１２月３１日の間を表現するものとすると、０１０１００００００〜１２３１２４００００となる。
【００２８】
これに加えて荷姿の発生した高さを規定することが必要な場合がある。荷姿の発生した高さを特定する方法はたとえば次のとおりである。高度計で測定したその場所の海抜を整数であらわし電子タグに格納する。その場合には９６ビットを超えるメモリ領域が必要なため、格納できる電子情報量を拡張した電子タグを利用する。高さ情報として海抜０〜９９９９ｍの範囲を記述するためには１４ビットの拡張を行なう必要がある。高さ情報として海抜を用いる代わりに、建物の階数で区別することも可能である。
【００２９】
図４〜図６は、本発明に係る電子情報読取り書込み装置を用いた荷物管理システムの他の例を示す図である。図４は製品の工場出荷時の例を示し、図５は製品の倉庫入荷時の例を示し、図６は二次倉庫または販売店などへの製品の出荷時の例を示す。
【００３０】
図４に示すように、製品本体１００１は１個ずつ梱包され、ＳＧＴＩＮタイプの電子情報が格納された電子タグ１００３が梱包箱１００２（又は製品本体１００１）に貼付される。この電子タグ１００３にはタグの種別、商品の製造会社、商品種別、シリアル番号に対応した電子情報が格納されている。製品本体１００１が１個ずつ梱包された製品荷姿１０１０が複数個集められ、それらが集合箱１０２１に収納され集合梱包１０３０となる。その際、収納される全ての製品荷姿１０１０の電子タグ１００３を電子情報読取り書込み装置１０６０で読み取る。次に集合箱１０２１を特定するための集合箱用電子タグ１０２２を集合箱１０２１に貼り付ける。
【００３１】
このとき電子情報読取り書込み装置１０６０に装備されたＧＰＳ受信器で、その場所の緯度と経度を測定し、荷姿の発生場所の座標となる数値を生成させる。必要に応じて高度計で高さを測定し荷姿の発生場所の高さを規定する数値を生成する。さらに、荷姿の発生した時刻を例えば世界標準時に較正された時計を参照し特定する。これらの値を電子タグ情報に変換し、集合箱用電子タグ１０２２に書き込む。一方、予め読み取っておいた集合梱包１０３０内の全ての製品荷姿の電子タグ１００３のＳＧＴＩＮタイプの電子情報と、集合箱用電子タグ１０２２のＸＩＤタイプの電子情報を紐つけて（関係付けて）、例えば端末コンピュータ１０７０を介して、記憶装置１０８０のデータベースに格納する。すなわち、集合梱包１０３０内の全ての製品荷姿の電子タグ１００３の電子情報ＳＧＴＩＮ−１０１，ＳＧＴＩＮ−１０２，ＳＧＴＩＮ−１０３・・・ＳＧＴＩＮ−ｎが、集合箱用電子タグ１０２２の電子情報ＸＩＤ−１０１１と関係付けられる。これにより、端末コンピュータ１０７０により、各電子情報が相互に検索可能となる。記憶装置１０８０には、別の一つまたは複数の端末コンピュータ１０９０からもアクセス可能であり、端末コンピュータ１０９０でも記憶装置１０８０に記憶された複数の電子タグの電子情報の一つから別の電子情報を検索することができる。
【００３２】
出荷のため、複数の集合梱包１０３０をパレット１０４０に積載してパレット積載集合体１０５０とする。その際、積載される全ての集合梱包１０３０の集合箱用電子タグ１０２２を電子情報読取り書込み装置１０６０で読み取る。次にパレット積載集合体１０５０を特定するための積載集合体電子タグ１０３１をパレット積載集合体１０５０に貼り付ける。そして積載集合体電子タグ１０３１を電子情報読取り書込み装置１０６０で読み取る。パレット積載集合体１０５０内の全ての集合箱用電子タグ１０２２のＸＩＤタイプの電子情報と、パレット積載集合体１０５０の積載集合体電子タグ１０３１のＸＩＤタイプの電子情報を紐つけて（関係付けて）、例えば端末コンピュータ１０７０を介して、データベースとして記憶装置１０８０に格納する。すなわち、パレット積載集合体１０５０に積載された全ての集合梱包１０３０の集合箱用電子タグ１０２２の電子情報ＸＩＤ−１０１１，ＸＩＤ−１０１２，ＸＩＤ−１０１３・・・ＸＩＤ−ｍが、積載集合体電子タグ１０３１の電子情報ＸＩＤ−１０２１と関係付けられる。
【００３３】
次に、このパレット積載集合体１０５０が複数集められトラック１０５２に積載される。トラック１０５２に積載された複数のパレット積載集合体１０５０の集合体であるトラック積載物１０５３に対し、それを特定するためのＳＳＣＣタイプの物流用電子タグ１０５１を貼り付ける。そして物流用電子タグ１０５１を電子情報読取り書込み装置１０６０で読み取る。トラック積載物１０５３内の全ての積載集合体電子タグ１０３１のＸＩＤタイプの電子情報と、トラック積載物１０５３の物流用電子タグ１０５１のＳＳＣＣタイプの電子情報を紐つけて（関係付けて）、例えば端末コンピュータ１０７０を介して、記憶装置１０８０のデータベースに格納する。すなわち、トラック積載物１０５３に積載された全てのパレット積載集合体１０５０の積載集合体電子タグ１０３１の電子情報ＸＩＤ−１０２１，ＸＩＤ−１０２２，ＸＩＤ−１０２３・・・ＸＩＤ−ｋが、物流用電子タグ１０５１の電子情報ＳＳＣＣ−１０１と関係付けられる。
【００３４】
図５に示すように、倉庫入荷時、トラック１０５２のトラック積載物１０５３の物流用電子タグ１０５１を、電子情報読取り書込み装置１１１０で読み取って検品する。記憶装置１１３０には、端末コンピュータ１１２０を介して記憶装置１０８０から情報が転送されている。端末コンピュータ１１２０は、電子情報読取り書込み装置１１１０が物流用電子タグ１０５１から電子情報ＳＳＣＣ−１０１を読み取ると、電子情報ＳＳＣＣ−１０１に関係付けられた電子情報を検索し、電子情報ＸＩＤ−１０２１，ＸＩＤ−１０２２，ＸＩＤ−１０２３・・・ＸＩＤ−ｋ（物品明細１）を得る。また、これにより得られた例えば電子情報ＸＩＤ−１０２１に関係付けられた電子情報を検索し、電子情報ＸＩＤ−１０１１，ＸＩＤ−１０１２，ＸＩＤ−１０１３・・・ＸＩＤ−ｍ（物品明細２）を得る。さらに、これにより得られた例えば電子情報ＸＩＤ−１０１１に関係付けられた電子情報を検索し、電子情報ＳＧＴＩＮ−１０１，ＳＧＴＩＮ−１０２，ＳＧＴＩＮ−１０３・・・ＳＧＴＩＮ−ｎ（物品明細３）を得る。トラック積載物１０５３は、以上のように検品された後、倉庫に保管される。
【００３５】
図６に示すように、二次倉庫または販売店などに出荷するとき、新たな荷姿を作る。図中の矢印（ａ）経路の出荷時には、パレット積載集合体１０５０に電子情報ＳＳＣＣ−１１１をもつ物流用電子タグ１１８１を付け新たな荷姿とする。この場合、電子情報読取り書込み装置１１１０により、パレット積載集合体１０５０に貼付された積載集合体電子タグ１０３１のＸＩＤタイプの電子情報が、物流用電子タグ１１８１のＳＳＣＣタイプの電子情報と関係付けられる。矢印（ｃ）経路の出荷時には、一つの集合梱包１０３０に電子情報ＳＳＣＣ−１１２をもつ物流用電子タグ１１８２を付け新たな荷姿とする。この場合、電子情報読取り書込み装置１１１０により、集合梱包１０３０に貼付された集合箱用電子タグ１０２２のＸＩＤタイプの電子情報が、物流用電子タグ１１８２のＳＳＣＣタイプの電子情報と関係付けられる。
【００３６】
矢印（ｂ）−（ｄ）経路の出荷時には、一つの製品荷姿１０１０に電子情報ＳＳＣＣ−１１３をもつ物流用電子タグ１１８３を付け新たな荷姿とする。この場合、電子情報読取り書込み装置１１１０により、製品荷姿１０１０の電子タグ１００３のＳＧＴＩＮタイプの電子情報が、物流用電子タグ１１８３のＳＳＣＣタイプの電子情報と関係付けられる。矢印（ｂ）−（ｅ）−（ｆ）−（ｇ）−（ｈ）経路の出荷時には、新たな荷姿として複数の製品荷姿１０１０を混載した混載箱１１３１に電子情報ＸＩＤ−１１１１の混載箱用電子タグ１１３２を付け、さらに新たな荷姿として混載箱１１３１に電子情報ＳＳＣＣ−１１４をもつ物流用電子タグ１１８４を付ける。この場合、各段階で、電子情報読取り書込み装置１１１０により、複数の製品荷姿１０１０の電子タグ１００３のＳＧＴＩＮタイプの電子情報が、混載箱用電子タグ１１３２のＸＩＤタイプの電子情報と関係付けられる。さらに出荷先が確定した時点で、混載箱用電子タグ１１３２のＸＩＤタイプの電子情報が、物流用電子タグ１１８４のＳＳＣＣタイプの電子情報と関係付けられる。
【００３７】
矢印（ｂ）−（ｅ）−（ｆ）−（ｇ）−（ｉ）−（ｊ）経路の出荷時には、新たな荷姿として複数の製品荷姿１０１０を混載した混載箱１１３１に電子情報ＸＩＤ−１１１１をもつ混載箱用電子タグ１１３２を付け混載梱包１１４０とする。混載梱包１１４０を他の種類の製品の入った混載梱包１１６０とともにパレット１１５０に積載してパレット積載集合体１１７０とする。そしてパレット積載集合体１１７０を特定するためのＸＩＤ−１１２１をもつパレット用電子タグ１１６１をパレット積載集合体１１７０に貼り付ける。さらにさらに出荷先が確定した時点で、パレット積載集合体１１７０に電子情報ＳＳＣＣ−１１５をもつ物流用電子タグ１１８５を付ける。この場合、各段階で、電子情報読取り書込み装置１１１０により、複数の製品荷姿１０１０の電子タグ１００３のＳＧＴＩＮタイプの電子情報が、混載箱用電子タグ１１３２のＸＩＤタイプの電子情報と関係付けられ、混載箱用電子タグ１１３２のＸＩＤタイプの電子情報が、パレット積載集合体１１７０のパレット用電子タグ１１６１のＸＩＤタイプの電子情報と関係付けられ、さらにパレット積載集合体１１７０のＸＩＤタイプの電子情報が、物流用電子タグ１１８５のＳＳＣＣタイプの電子情報と関係付けられる。
【００３８】
図６において、電子情報はそれぞれ各段階において、電子情報読取り書込み装置１１１０により読み取られ、そして書き込まれ、上述のようにして互いに関係付けられ、例えば端末コンピュータ１１２０を介して、記憶装置１１３０のデータベースに格納される。これにより、端末コンピュータ１１２０により、各電子情報が相互に検索可能となる。端末コンピュータ１１２０には、図示のように、プリンタ等の画像形成装置１１９０を接続することができ、これにより例えば記憶装置１１３０に格納された電子情報に基づいて納品書１１９２を印刷することができる。
【００３９】
上述、ＸＩＤタイプの電子情報の生成と電子情報どうしの関係付けはコンピュータに次のプログラムを実行させることで構成することができる。すなわち、このプログラムは、コンピュータに、荷姿の発生場所を座標情報として取得する手順、荷姿の発生時刻を時刻情報として取得する手順、第１の電子タグの第１の電子情報を読み取り記憶する手順、第２の電子タグに書き込む座標情報および時刻情報を含む第２の電子情報を生成する手順、第１および第２の電子情報を関係付けた電子情報を記憶装置に出力する手順、を実行させるためのものである。このプログラムにおいて、荷姿の発生高さを高さ情報として取得する手順をさらに備え、上記第２の電子情報に高さ情報を含ませることができる。以上のプログラムは、例えば電子情報読取り書込み装置の内部メモリに格納することができるが、これに限定されず、ＣＤＲＯＭ等の記憶媒体に格納して、または通信手段によって提供することも可能である。
【００４０】
このように構成することで、ある電子タグを荷姿発生時に別の電子タグに関係付けることができるため、工場で完成した製品が出荷され倉庫に到着するまでの過程で荷姿の内容物をデータベースで検索することができる。同様に、倉庫に在庫している製品が納品先に到着するまでの過程でも、荷姿の内容物をデータベースで検索することができる。さらに納品先でも集合梱包の電子タグや混載梱包の電子タグ、パレットに積載された混載梱包の電子タグを使って荷姿の内容物をデータベースで検索することができる。
【００４１】
ＥＰＣｇｌｏｂａｌの規定するＳＳＣＣ−９６はその元となったバーコードタイプの物流ラベルＳＳＣＣと同様に荷主が発送するときに発行され、荷受先が納品を確認し終わったときにその役目を終える。そのため、出荷前に送り先の決まっていない状態で複数の商品をまとめる場合や、納品後に複数の商品がまとまったまま取り扱われる場合、その識別にＳＳＣＣ−９６を利用する事が出来ない。また、商品物流上、商品のとりまとめで生じる新しい荷姿はいつどこで発生するかを予め決めたり制限したりする事が出来ない現状がある。荷姿の発生した場所を地球上に設定した座標と時刻（又は座標と高さと時刻）で規定しその情報から電子情報を生成しＸＩＤタイプの電子情報として電子タグに書き込む。ＸＩＤタイプの電子情報は、その電子タグの貼られた荷物を構成する複数の商品のＳＧＴＩＮタイプの電子情報や小さな荷物のＸＩＤタイプの電子情報と関係付けられ、その情報がデータベース（ＥＰＣ−ＩＳ含む）に蓄積される。一つのＸＩＤタイプの電子情報で特定される荷物がその下位の荷物や個別の商品に分けられるまでは、そのＸＩＤタイプの電子情報で荷物を識別する事が出来る。それにより、製品が完成してから販売されるまでの流通過程全般で、商品情報トレースのために個別の商品のＳＧＴＩＮタイプの電子情報を読む煩わしさが解消される。
【符号の説明】
【００４２】
２１  座標情報取得部
２２  時刻情報取得部
２３  高さ情報取得部
２４  電子情報記憶部
２５  電子情報生成部
２６  関係付け情報出力部
２７  アンテナ
２４１  復調器
２５１  変調器
２６１  関係付け情報生成部
９０１  製品本体
９０２  梱包箱
９０３  製品荷姿用電子タグ
９１０  製品荷姿
９２１  集合箱
９２２  集合箱用電子タグ
９３０  集合梱包
９４０  パレット
９５０  パレット積載集合体
９５１  物流用電子タグ
９６０  電子情報読取り書込み装置
９６１  ＧＰＳ
９７０  端末コンピュータ
９８０  記憶装置
９９０  端末コンピュータ
【図１】
2011065294.tif 000003
【図２】
2011065294.tif 000004
【図３】
2011065294.tif 000005
【図４】
2011065294.tif 000006
【図５】
2011065294.tif 000007
【図６】
2011065294.tif 000008